(57)【特許請求の範囲】
【請求項１】
半押し操作と全押し操作が可能なレリーズ操作部と、
位相差検出式の焦点検出動作を行なう位相差検出部と、画像のコントラストに基づいてコントラスト検出式の焦点検出動作を行なうコントラスト検出部とを制御することによりオートフォーカス制御を行うオートフォーカス制御部と、
前記レリーズ操作部とは異なる位置に備えられ、前記オートフォーカス制御部にオートフォーカス制御をさせるために操作されるオートフォーカス操作部と、
撮像部の出力に基づいて形成されるスルー画像を表示するライブビューの制御を行うライブビュー制御部と、
手持ち撮影モードと静止被写体撮影モードとを設定可能なモード設定部とを備えるカメラであって、
前記オートフォーカス制御部は、前記モード設定部により手持ち撮影モードに設定されている場合、前記スルー画像の表示中に、前記レリーズ操作部の半押し操作、及び、前記オートフォーカス操作部のオン操作の何れかを検出したとき、前記位相差検出部による焦点検出動作を行うように制御し、
前記モード設定部により静止被写体撮影モードに設定されている場合、前記スルー画像の表示中に前記レリーズ操作部の半押し操作がされたとき前記位相差検出部による焦点検出動作及び前記コントラスト検出部による焦点検出動作を禁止するように制御し、前記スルー画像の表示中に前記オートフォーカス操作部のオン操作がされたとき前記コントラスト検出部による焦点検出動作を行うように制御すること
を特徴とするカメラ。
【請求項２】
請求項１に記載のカメラにおいて、
前記オートフォーカス制御部は、前記スルー画像の非表示状態では、前記オートフォーカス操作部の操作に応じて前記位相差検出式のオートフォーカス動作を実行すること
を特徴とするカメラ。
【請求項３】
請求項１又は請求項２に記載のカメラであって、
前記オートフォーカス制御部は、前記所定状態であって、且つ撮影動作の完了後も前記スルー画像の表示を継続するライブビュー継続モードが選択された場合には、前記撮影動作の完了後に開始された前記スルー画像の表示が停止されない限り、前記オートフォーカス操作部の操作に応じて前記コントラスト検出式のオートフォーカス動作を実行せしめ、且つ前記レリーズ操作部材への操作に応じた前記位相差検出式のオートフォーカス動作の実行を禁止せしめる制御を継続すること
を特徴とするカメラ。
【請求項４】
請求項１から請求項３までのいずれか１項に記載のカメラにおいて、
前記オートフォーカス制御部は、前記ライブビュー機能が前記所定状態に設定されている場合であっても、前記スルー画像が非表示である場合には、前記レリーズ操作部材の操作に応じて前記位相差検出式のオートフォーカス動作を実行せしめること
を特徴とするカメラ。
【請求項５】
請求項１から請求項４までのいずれか１項に記載のカメラにおいて、
前記ライブビュー機能として、カメラを固定した状態で静止被写体を撮像するためのライブビューモードである固定撮影モードを含み、
前記所定状態とは、前記固定撮影モードに設定されている状態であること
を特徴とするカメラ。
【発明の詳細な説明】
【技術分野】
【０００１】
本発明は、カメラに関するものである。
【背景技術】
【０００２】
オートフォーカス（ＡＦ）制御の方式として、位相差検出式及びコントラスト検出式の２方式を搭載したカメラが知られている（例えば、特許文献１参照）。
【特許文献１】特開２００５−２８３６３７号公報
【発明の開示】
【発明が解決しようとする課題】
【０００３】
上記従来のカメラでは、レリーズ釦の全押し操作に伴って位相差検出式のＡＦが実行されてしまうので、撮影前にマニュアルフォーカスやコントラスト検出式のＡＦによって、位相差検出式ＡＦで使用されるＡＦエリアの存在しない領域にピント合わせを行っても、撮影動作の開始を指示するために行うレリーズ釦の全押し操作によって設定したピント位置がずれてしまう可能性があった。
本発明の課題は、オートフォーカス機能を用いた撮影時の利便性が向上したカメラを提供することである。
【課題を解決するための手段】
【０００４】
本発明は、以下のような解決手段により、前記課題を解決する。なお、理解を容易にするために、本発明の実施形態に対応する符号を付して説明するが、これに限定されるものではない。
請求項１の発明は、半押し操作と全押し操作が可能なレリーズ操作部（２６）と、位相差検出式の焦点検出動作を行なう位相差検出部と、画像のコントラストに基づいてコントラスト検出式の焦点検出動作を行なうコントラスト検出部とを制御することによりオートフォーカス制御を行うオートフォーカス制御部（４０）と、前記レリーズ操作部とは異なる位置に備えられ、前記オートフォーカス制御部にオートフォーカス制御をさせるために操作されるオートフォーカス操作部（２７）と、撮像部の出力に基づいて形成されるスルー画像を表示するライブビューの制御を行うライブビュー制御部と、手持ち撮影モードと静止被写体撮影モードとを設定可能なモード設定部とを備えるカメラであって、前記オートフォーカス制御部は、前記モード設定部により手持ち撮影モードに設定されている場合、前記スルー画像の表示中に、前記レリーズ操作部の半押し操作、及び、前記オートフォーカス操作部のオン操作の何れかを検出したとき、前記位相差検出部による焦点検出動作を行うように制御し、前記モード設定部により静止被写体撮影モードに設定されている場合、前記スルー画像の表示中に前記レリーズ操作部の半押し操作がされたとき前記位相差検出部による焦点検出動作及び前記コントラスト検出部による焦点検出動作を禁止するように制御し、前記スルー画像の表示中に前記オートフォーカス操作部のオン操作がされたとき前記コントラスト検出部による焦点検出動作を行うように制御することを特徴とするカメラ（１）である。
【０００５】
請求項２の発明は、請求項１に記載のカメラにおいて、前記オートフォーカス制御部（４０）は、前記スルー画像の非表示状態では、前記オートフォーカス操作部（２７）の操作に応じて前記位相差検出式のオートフォーカス動作を実行することを特徴とするカメラ（１）である。
請求項３の発明は、請求項１又は請求項２に記載のカメラであって、前記オートフォーカス制御部（４０）は、前記所定状態であって、且つ撮影動作の完了後も前記スルー画像の表示を継続するライブビュー継続モードが選択された場合には、前記撮影動作の完了後に開始された前記スルー画像の表示が停止されない限り、前記オートフォーカス操作部の操作に応じて前記コントラスト検出式のオートフォーカス動作を実行せしめ、且つ前記レリーズ操作部材への操作に応じた前記位相差検出式のオートフォーカス動作の実行を禁止せしめる制御を継続することを特徴とするカメラ（１）である。
請求項４の発明は、請求項１から請求項３までのいずれか１項に記載のカメラにおいて、前記オートフォーカス制御部（４０）は、前記ライブビュー機能が前記所定状態に設定されている場合であっても、前記スルー画像が非表示である場合には、前記レリーズ操作部材（２６）の操作に応じて前記位相差検出式のオートフォーカス動作を実行せしめることを特徴とするカメラ（１）である。
請求項５の発明は、請求項１から請求項４までのいずれか１項に記載のカメラにおいて、前記ライブビュー機能として、カメラを固定した状態で静止被写体を撮像するためのライブビューモードである固定撮影モードを含み、前記所定状態とは、前記固定撮影モードに設定されている状態であることを特徴とするカメラ（１）である。
なお、符号を付して説明した構成は、適宜改良してもよく、また、少なくとも一部を他の構成物に代替してもよい。
【発明の効果】
【０００６】
本発明によれば、オートフォーカス機能を用いた撮影時の利便性が向上したカメラを提供することができる。
【発明を実施するための最良の形態】
【０００７】
［第１実施形態］
以下、図面を参照して、本発明を適用したカメラの実施形態について説明する。
図１は、第１実施形態のカメラの機械的な構造を示す図である。
この図１において、（ａ）は、被写体光をファインダ光学系に導く観察状態を示し、（ｂ）は、被写体光を撮像部に露光する露光状態を示している。
【０００８】
カメラ１は、交換レンズ１０と、この交換レンズ１０が着脱可能に装着されるカメラ本体２０とを備えた一眼レフデジタルカメラシステムである。交換レンズ１０とカメラ本体２０とは、装着状態において、複数の電気接点２を介して電気信号の授受が行われる。
【０００９】
交換レンズ１０は、撮影レンズ１１、絞り部１２、駆動機構１３及びレンズデータ部１４を備えている。
撮影レンズ１１には、フォーカスレンズ群が含まれている。絞り部１２は、撮影レンズ１１を通過する被写体光の光量を調節するものである。駆動機構１３には、フォーカスレンズ群を駆動するアクチュエータ等が含まれている。
【００１０】
カメラ本体２０は、撮像部２１、信号処理部２２、ミラーユニット２３、シャッタ２４、ファインダ光学系２５、レリーズ釦２６、オートフォーカス（ＡＦ）起動釦２７、表示部２８、ＡＦセンサ２９及び制御部３０を備えている。
【００１１】
撮像部２１は、その結像面に撮影レンズ１１を通過した被写体光が露光されると、この被写体光を電気信号に変換して出力する光−電気変換素子を含む固体撮像素子である。撮像部２１には、例えば、ＣＭＯＳやＣＣＤ等を使用することができる。
信号処理部２２は、撮像部２１から出力された電気信号のノイズ除去、Ａ／Ｄ変換等を行う部分である。
【００１２】
ミラーユニット２３は、撮像部２１の入射面側に配置されており、メインミラー２３ａ及びサブミラー２３ｂを備えている。
メインミラー２３ａは、撮影レンズ１１を通過した被写体光を後述するファインダ光学系２５に反射する鏡である。メインミラー２３ａは、ハーフミラーになっており、光の一部を透過させるようになっている。
サブミラー２３ｂは、メインミラー２３ａを透過した被写体光を後述するＡＦセンサ２９に反射する鏡である。
ミラーユニット２３は、後述するレリーズ釦２６が全押し操作されると、端部に設けられた軸回りに回動してメインミラー２３ａ及びサブミラー２３ｂの反射面がそれぞれ光軸に対して略平行となる位置に退避（図１（ｂ）参照）する、いわゆる、クイックリターンミラーである。
【００１３】
シャッタ２４は、レリーズ釦２６の全押し操作に応じて開閉動作を行う公知のフォーカルプレンシャッタであり、撮像部２１とミラーユニット２３との間に設けられている。
【００１４】
ファインダ光学系２５は、メインミラー２３ａによって反射された被写体光が結像されるスクリーン２５ａと、このファインダ光学系２５を用いて撮影を行う際に撮影者が目を接近させる接眼レンズ２５ｂと、スクリーン２５ａに結像された被写体像を接眼レンズ２５ｂに導くプリズム２５ｃとを備えている。
【００１５】
レリーズ釦２６は、２段式の押し釦スイッチであり、半押し操作及び全押し操作の２パターンの操作が可能なレリーズ操作部材である。
ＡＦ起動釦２７は、レリーズ釦２６とは別の箇所（例えば、カメラボディの背面部等）に設けられた押し釦スイッチであり、専ら後述するＡＦ制御部４０に対してＡＦ動作を開始せしめるために操作されるＡＦ操作部である。
【００１６】
表示部２８は、カメラボディの背面部に設けられ、撮影済みの画像や、撮影条件時の設定が可能なメニュー画面等を表示可能になっている。
また、カメラ１は、撮像部２１の出力に基づく画像を、略リアルタイムで表示部２８に表示させる機能を有しており、撮影者は、この画像を確認しながら撮影構図の決定を行うことができるようになっている。以下、本明細書において、このような機能をライブビュー機能と称して説明する。また、このライブビュー機能を用いて撮影を行う際に表示部２８に表示される画像をスルー画像と称して説明する。
【００１７】
ライブビュー機能を用いた撮影モード（ライブビュー撮影モード）と、ファインダ光学系を用いた撮影モード（ファインダ撮影モード）との切り替えは、図示しない動作モード選択ダイヤルを操作することによって行う。
【００１８】
また、本実施形態のカメラ１は、ライブビュー機能を用いた撮影モードとして、手持ち撮影モードとスタジオ撮影モード（固定撮影モード：ライブビュー機能が所定状態に設定されている状態）とが用意されている。
図２は、図１に示すカメラを用いてスタジオ撮影モードで撮影する際のカメラと被写体との状態を示す図である。
手持ち撮影モードとは、カメラ１を撮影者が手によって把持した状態で撮影を行う際に選択される撮影モードであり、構図の決定を自由にかつ速やかに行えることが特徴である。
これに対し、スタジオ撮影モードとは、図２に示すようにカメラ１を三脚３に固定して、テーブル４上に載せられた静止被写体Ｓを撮影するような場合に選択される固定撮影モードである。このスタジオ撮影モードは、例えば、カメラ１と図示しないパーソナルコンピュータ（ＰＣ）とを接続し、カメラ１で撮影した画像を、カメラ背面の表示部２８や、あるいはＰＣのモニタに表示することによって、構図、ピント位置、ボケ具合等を詳細に確認するのに好適な撮影モードである。
手持ち撮影モードとスタジオ撮影モードとの切り替えも、前述した動作モード選択ダイヤルの操作によって行う。
【００１９】
ＡＦセンサ２９は、サブミラー２３ｂによって反射された被写体光を２つに分けて視差のある二つの像を生成するマスク、及び、これらの二つの像をそれぞれ電気信号に変換する一対の光電変換素子列（ラインセンサ）を含んでいる（マスク及びラインセンサは、図示を省略する）。
【００２０】
制御部３０は、カメラ１に備えられた電気要素を統括的に制御する部分であり、マイコン等の演算装置を備えている。
この制御部３０は、撮影者からの指示に応じて撮影レンズ１１に含まれるフォーカスレンズ群を駆動して、例えば、主要な被写体に対してピント合わせを行うオートフォーカス（ＡＦ）制御部４０を備えている。
【００２１】
ＡＦ制御部４０は、ライブビュー撮影モードにおいて、撮影者からのＡＦ動作指示に応じて位相差検出式のＡＦ動作及びコントラスト検出式のＡＦ動作を適宜使い分けるようになっている。このＡＦ動作の使い分けについては、後に詳しく説明する。
【００２２】
位相差検出式のＡＦ動作を行う場合、ＡＦ制御部４０は、前述のＡＦセンサ２９に備えられたラインセンサの出力から二つの像の相対的なデフォーカス量（焦点ずれ量）を算出する。交換レンズ１００に備えられたレンズデータ部１４には、デフォーカス量に対応したレンズ駆動量に関するデータが記録されており、ＡＦ制御部４０は、このデフォーカス量がゼロとなるようにフォーカスレンズ群を駆動する。
【００２３】
コントラスト検出式のＡＦ動作を行う場合、ＡＦ制御部４０は、信号処理部２２から出力される被写体の画像情報を解析し、フォーカスレンズ群を光軸方向に移動させながら画像のコントラストが最も高くなるレンズ位置を探し、この位置を合焦位置とみなしてピント合わせを行う。
【００２４】
次に、本実施形態のカメラ１を用いてライブビュー撮影モードで撮影を行う場合にＡＦ制御部４０が行うＡＦ動作の使い分けについて説明する。
ライブビュー撮影モードにおいて、カメラ１は、撮影者がカメラ１にＡＦ動作を実行させる際の操作が手持ち撮影モードとスタジオ撮影モードとで異なっている。また、撮影者からのＡＦ実行指示に応じてＡＦ制御部４０が行うＡＦ動作も、スルー画像の表示前後で異なっている。
【００２５】
表１は、実施形態のカメラ１がライブビュー（ＬＶ）撮影モードで実行するＡＦ動作を示している。
【表１】
0005040498.tif 000002
【００２６】
表１に示すように、手持ち撮影モードで撮影を行う場合、スルー画像の表示を開始する前の前処理フェーズにおいて、ＡＦ制御部４０は、レリーズ釦２６の半押し操作、ＡＦ起動釦２７のオン操作のいずれを検出した場合でも位相差検出式のＡＦ動作を実行する。これに対し、前処理フェーズでレリーズ釦２６の全押し操作を検出した場合、ＡＦ制御部４０は、ＡＦ動作は行わない。そして、このレリーズ釦２６の全押し操作を検出した制御部３０が、表示部２８にスルー画像を表示させる（ライブビューフェーズに移行）。
【００２７】
また、スルー画像を表示している状態のライブビューフェ−ズでも、ＡＦ制御部４０は、レリーズ釦２６の半押し操作、ＡＦ起動釦２７のオン操作のいずれを検出した場合でも位相差検出式のＡＦ動作を実行する。なお、ライブビューフェーズで位相差検出式のＡＦを行うには、再度ミラーユニット２３を反射位置に復帰させなければならないが、ミラーユニット２３を反射位置に復帰させて位相差検出式のＡＦを行うのに要する時間はわずかであるので、カメラ１の操作感が低下することがない。
制御部４０は、ライブビューフェーズでレリーズ釦２６の全押し操作を検出した場合は、ミラーユニット２３やシャッタ２４を制御して撮影動作を実行する。
【００２８】
これに対し、スタジオ撮影モードが選択された場合、ＡＦ制御部４０は、前処理フェーズにおいて、レリーズ釦２６の半押し操作によるＡＦ指示を無効とする制御を行い、ＡＦ起動釦２７の操作を検出した場合にのみ、位相差検出式のＡＦ動作を実行する。また、手持ち撮影モードと同様に、制御部３０がレリーズ釦２６の全押し操作を検出した場合にライブビューフェーズへ移行する。
【００２９】
そして、ライブビューフェ−ズにおいても、ＡＦ制御部４０は、レリーズ釦２６の半押し操作によるＡＦ指示を無効とする制御を行い、ＡＦ起動釦２７のオン操作を検出した場合にのみ、コントラスト検出式のＡＦ動作を実行する。
スタジオ撮影モードは、静止被写体を撮影する撮影モードであり、撮影者がスルー画像（又はＰＣのモニタに表示された画像）を確認しながらマニュアル操作又はコントラスト検出式のＡＦ等によってピンポイントでピント合わせを行うことを想定している。仮にレリーズ釦２６の半押し又は全押し操作によるＡＦ動作を許容すると、撮影者がピンポイントで設定したピント位置が、全押し操作、あるいは全押しに至る途中で通る半押し操作に伴う再度のＡＦ動作でずれてしまう可能性があるので、カメラ１は、上記のようにレリーズ釦２６の操作によるＡＦ操作を禁止している。
【００３０】
このため、スタジオ撮影モードのライブビューフェ−ズにおいて、本実施形態のカメラ１に対してＡＦ動作を行わせるためには、ＡＦ起動釦２７を操作して行う。この場合には、スルー画像等を確認しながら設定したピント位置がレリーズ釦２６の全押し又は半押し操作によって変更されることがない。
【００３１】
以下、ライブビュー撮影モードのうち、スタジオ撮影モードで撮影を行う際に制御部３０が行う制御をフローチャートを用いて説明する。
図３は、図１に示すカメラを用いて撮影を行う際に制御部が行う制御を示すフローチャートである。
【００３２】
（ステップＳ０１：半押し操作によるＡＦ動作を禁止）
撮影者によってライブ撮影ビューモードが選択され、かつ、ライブビュー撮影モードのうち、図２に示す撮影シーンでの使用が専ら想定されるスタジオ撮影モードが選択されると、ＡＦ制御部４０は、これに応じてレリーズ釦２６の操作（半押し、又は全押し操作）に応じたＡＦ動作を禁止する制御を行う（ステップＳ０２に進む）。この状態では、レリーズ釦２６を操作してもＡＦ動作は実行されない。
【００３３】
（ステップＳ０２〜０３：ＡＦ起動釦の操作検出、位相差検出ＡＦ）
これに対し、ＡＦ起動釦２７がオン操作されると（ステップＳ０２）、ＡＦ制御部４０は、位相差検出式のＡＦ動作を行って被写体Ｓに対してピント合わせを行う（ステップＳ０３）。この位相差検出式のＡＦ動作は、撮影者がファインダ光学系２５を用いて選択したフォーカスエリアで行われる。
なお、スタジオ撮影モードでは、後述するステップＳ０８において、スルー画像を確認しながらピンポイントのピント合わせを行うので、このステップＳ０２は、省略してもよく、又は、マニュアル操作によって粗調整的なピント合わせを行ってもよい。
【００３４】
（ステップＳ０４〜Ｓ０５：全押し操作検出、ライブビュー開始）
制御部４０は、レリーズ釦２６の全押し操作を検出すると（ステップＳ０４）、これに応じてミラーユニット２３を退避位置に駆動（ミラーアップ）するとともに、シャッタ２４を開駆動する（ステップＳ０５）。これによって、カメラ１は、図１（ｂ）に示す露光状態に移行し、被写体光が撮像部２１に露光される。
【００３５】
（ステップＳ０６：スルー画像表示）
被写体光が撮像部２１に露光されると、信号処理部２２は、例えば、毎秒３０フレーム程度、撮像部２１の出力に基づいて画像データを生成する。制御部４０は、これらの画像データに基づく画像を連続して表示部２８に表示されることによってスルー画像を表示し、ステップＳ０７に進む。なお、カメラ１にＰＣ等の外部表示装置が接続されている場合には、スルー画像を外部表示装置に出力して、その外部表示装置の表示部にスルー画像を表示せしめるようにする。
【００３６】
（ステップＳ０７〜Ｓ０８：ＡＦ起動釦の操作検出、コントラストＡＦ）
ＡＦ制御部４０は、ＡＦ起動釦２７がオン操作されたことを検出すると、これに応じてコントラスト検出式のＡＦ動作を実行し、表示部２８に合焦判定結果を表示する。このときのＡＦエリアの位置（ＡＦエリアの枠表示）は、スルー画像に対して重合表示される。
また、合焦判定結果は、例えば、ＡＦエリアの枠表示を、ＡＦ動作中（焦点評価値の演算中）には緑色の点滅表示、合焦完了時には緑色の点灯表示、非合焦時には赤色の点滅表示等の色分けや、点灯、点滅の切り替え等を行うとよい。また、合焦完了時を音声で撮影者に告知してもよい。なお、このＡＦ動作は、ＡＦ起動釦２７がオン操作（押圧）されている状態でのみ実行され、ＡＦ起動釦２７のオン操作が解除されると、ＡＦ動作を中断する。
【００３７】
表示部２８は、その表示面積がファインダ光学系２５に備えられたスクリーン２５ａの表示面積よりも広く、被写体の視認性に優れる。また、表示倍率の拡大も任意に行えるようになっているので、ファインダ光学系２５を用いるよりもピンポイントでのピント合わせも容易に行うことができる。また、被写界深度の確認もより容易に行うこともできる。
なお、撮影者は、この場合もＡＦ起動釦２７を操作せずに、マニュアル操作で被写体に対するピント合わせを行ってもよい。
【００３８】
（ステップＳ０９〜１１：全押し操作検出、スルー画像表示停止、撮影動作）
制御部３０は、ライブビューフェーズでレリーズ釦２６の全押し操作を検出すると（ステップＳ０９）、これに応じてミラーユニット２３を退避位置から光路上に復帰（ミラーダウン）させるとともに、シャッタ２４を閉駆動し、信号処理部２２による画像データの生成を停止してスルー画像の表示を停止する（ステップＳ１０）。そして、撮影動作を開始する。撮影動作は、具体的には、ミラーユニット２３を再度ミラーアップするとともに、シャッタ２４を開閉駆動して被写体光を撮像部２１に露光し、これによって生成された画像データを図示しない記録媒体へ書き込んで記録する。
【００３９】
撮影動作が完了すると、ステップＳ０２に戻って以降の処理を繰り返す。このとき、スルー画像は、再びレリーズ釦の全押し操作を検出（ステップＳ０４）するまで非表示とされる。なお、カメラ１は、ステップＳ０５〜Ｓ１１のライブビューフェーズにおいて、カメラ本体２０に備えられたメニュー釦が操作されることによって、ライブビューフェーズを終了し、前処理フェーズ（ステップＳ０２）に戻る処理を行う。
【００４０】
以上説明した実施形態のカメラ１によれば、以下の効果を得ることができる。
（１）ＡＦ制御部４０は、レリーズ釦２６の操作に応じたＡＦ動作を禁止するので、撮影動作も開始を指示する為のレリーズ釦２６の全押し操作（全押しする過程で必然的になされる半押し操作も含める）に応じたＡＦ動作も禁止される。これによって、ライブビューフェーズに移行するためにレリーズ釦２６を全押し操作（図３のステップＳ０４参照）しても、前回撮影時のピント位置が保持されたたままとなる。このように、実施形態のカメラ１は、被写体に対するピント位置を維持したまま繰り返して撮影を行うことが可能であり、さらに、必要に応じて露出補正、絞り値、ＩＳＯ感度等を変更しながら撮影を継続できる。したがって、特に、図２に示す静止被写体を撮影する場合にように、ピンポイントのピント合わせを行いたいときに便利である。
（２）カメラ１に対してＡＦ実行指示を行うためのＡＦ起動釦２７を設けたので、撮影者は、レリーズ釦２６によるＡＦ動作が禁止されていても、任意のタイミングでＡＦ動作をカメラ１に実行させることができる。
（３）ライブビューフェーズに移行する際のレリーズ釦の全押し操作に応じたＡＦ動作を禁止するので、直前に粗調整（図３のステップＳ０３参照）として合わせたピントの位置がずれることがない。
（４）ライブビューフェーズでは、スルー画像を確認しながらピント合わせを行うことができるので、接眼レンズを介して被写体像を確認するより、ピンポイントでのピント合わせを行うことができる。
【００４１】
［第２実施形態］
次に、本発明を適用したカメラの第２実施形態について説明する。この第２実施形態において、上述した第１実施形態と同様な機能を果たす部分には、同一の符号又は末尾に統一した符号を付して、重複する説明や図面を適宜省略する。
【００４２】
第１実施形態のカメラ１は、撮影動作の直前でスルー画像が消灯（図３のステップＳ１０参照）され、撮影動作の完了後に撮影者によって再びレリーズ釦２６が全押し操作された場合にスルー画像の表示が再開された（図３のステップＳ０４〜Ｓ０６参照）。
これに対し、第２実施形態のカメラ１０１は、撮影動作の完了後に撮影者の操作がなくても、スルー画像の表示が再開されるようになっている。なお、第２実施形態のカメラの構成は、制御部１３０が行う制御を除き第１実施形態のカメラ１と実質的に同じなので、その図示を省略する（カメラ１０１、制御部１３０については、図１に括弧を付けて示す）。
【００４３】
第１実施形態のカメラ１では、ライブビューフェーズに移行するためのレリーズ釦２６の全押し操作（図３のステップＳ０４参照）によって、再度ＡＦ動作がされててしまうことを避けるため、レリーズ釦の操作によるＡＦを最初に禁止していた（図３のステップＳ０１参照）。
これに対し、第２実施形態のカメラ２では、２ショット目以降の撮影であってもライブビューフェーズに移行するためのレリーズ釦２６の全押し操作が必要ないため、前処理フェーズにおけるレリーズ釦２６の半押し操作によるＡＦ動作が許容されている。
【００４４】
図４は、第２実施形態のカメラを用いて撮影を行う際に制御部が行う制御を示すフローチャートである。
（ステップＳ２１〜２４：位相差検出式のＡＦ動作）
第２実施形態のカメラ１０１では、前処理フェーズにおいてレリーズ釦２６の半押し操作、及び、ＡＦ起動釦２７のオン操作のいずれがされた場合であっても、ＡＦ制御部４０は、位相差検出式のＡＦ動作を行う（ステップＳ２１、Ｓ２２）。そして、レリーズ釦２６の全押し操作を検出した場合に、ライブビューフェーズに移行する（ステップＳ２３）。
【００４５】
（ステップＳ２４：半押し操作によるＡＦの禁止制御）
制御部１３０は、レリーズ釦２６の操作によるＡＦ動作を禁止する制御を行う（ステップＳ２４）。これは、第１実施形態と同様に、撮影動作を開始させるためのレリーズ釦２６の全押し操作及びそれに伴う半押し操作（ステップＳ２９参照）によって、ＡＦ動作が再実行されることを避けるためである。
ただし、メニュー釦の操作によって、撮影動作の完了後に開始されたスルー画像の表示を停止（ライブビューフェーズが終了）される割り込み処理（不図示）が入ると、この割り込み処理においてステップＳ２４で行った設定を取り消してから、ステップＳ２１に戻るので、この割り込み処理後は、再びレリーズ釦２６の半押し操作によるＡＦ動作を許容する制御を行う。
【００４６】
（ステップＳ２５〜３１：ライブビューフェーズ）
第２実施形態のカメラ１０１の制御部１３０が行うライブビューフェーズにおける制御フローは、第１実施形態と概ね同じであり、レリーズ釦２６の全押し操作に応じてスルー画像の表示を開始し（ステップＳ２６）、再度のレリーズ釦２６の全押し操作（ステップＳ２９）に応じて撮影動作を開始する。
ただし、前述のように、第２実施形態のカメラ１０１は、撮影動作の完了後に撮影者の操作がなくてもスルー画像の表示が再開されるようになっており、撮影動作が完了（ステップＳ３１）すると、ステップＳ２６に戻って再びスルー画像を表示部２８に表示する。
【００４７】
以上説明した第２実施形態のカメラ１０１は、前処理フェーズにおいてレリーズ釦２６の半押し操作によっても位相差ＡＦを行うことができるので便利である。
また、以上説明した第２実施形態のカメラの撮影モード（ライブビュー継続撮影モード）を、第１実施形態のカメラに搭載してもよく、第１実施形態のように、ライブビューフェーズへの移行にレリーズ釦２６の全押し操作を要求するモードと、第２実施形態のように、スルー画像の表示が継続的に行われるモードとを選択的に切り替えられるようにしてもよい。そして、これらのモードの違いに応じて、制御部４０の行う制御を切り替えるとよい。
【００４８】
［変形形態］
本発明は、以上説明した実施形態に限定されることなく、種々の変形や変更が可能であって、それらも本発明の技術的範囲内である。
（１）実施形態のレリーズ操作部材は、カメラ本体に備えられたレリーズ釦であったが、これに限らず、例えば、カメラを無線遠隔操作することができるリモートコントロール（リモコン）装置であってもよい。この場合、リモコン釦の半押し操作によるＡＦ動作が禁止されかつカメラに備えられたＡＦ起動釦も操作できないので、カメラに対するコントラストＡＦの実行指示は、例えば、リモコン釦の１秒以上の半押し操作（長押し操作）によって行うとよい。また、リモコン装置にＡＦ起動釦を設けてもよい。
（２）上記第１実施形態のカメラは、スタジオ撮影モードでは、常にレリーズ釦の半押し操作によるＡＦ動作を禁止する制御を行ったが、これに限らず、例えば、スルー画像の表示前であれば、レリーズ釦の半押し操作による位相差検出式のＡＦ動作を許容してもよい。スルー画像表示前のピント合わせは、粗調整的な意味で行われるので、ライブビューフェーズへの移行を目的としたレリーズ釦の全押し操作によって、このピント位置がずれても問題がない場合があるからである。
【図面の簡単な説明】
【００４９】
【図１】第１実施形態のカメラの機械的な構造を示す図である。
【図２】図１に示すカメラを用いてスタジオ撮影モードで撮影する際のカメラと被写体との状態を示す図である。
【図３】図１に示すカメラを用いて撮影を行う際に制御部が行う制御を示すフローチャートである。
【図４】第２実施形態のカメラを用いて撮影を行う際に制御部が行う制御を示すフローチャートである。
【符号の説明】
【００５０】
１  カメラ  ：  ２６  レリーズ釦  ：  ２７  ＡＦ起動釦  ：  ３０  制御部  ：  ４  ＡＦ制御部
【図１】
0005040498.tif 000003
【図２】
0005040498.tif 000004
【図３】
0005040498.tif 000005
【図４】
0005040498.tif 000006